(57)【特許請求の範囲】
【請求項１】
少なくとも表面に合成樹脂の塗膜を形成した敷設用不織布の接合構造であって、不織布の側縁部に熱硬化性樹脂のモノマーを塗布するとともに、熱硬化性樹脂のモノマーを塗布した不織布の側縁部を隣接する不織布の側縁部と重ね合わせ、重ね合わせた部分を加熱することにより、前記塗膜の少なくとも一部を熱硬化性樹脂のモノマーにより溶かしながら、隣接する不織布の側縁部同士を接着してなることを特徴とする敷設用不織布の接合構造。
【請求項２】
不織布にポリオレフィン系、ポリエステル系等の合成繊維製不織布を用いたことを特徴とする請求項１記載の敷設用不織布の接合構造。
【請求項３】
塗膜を構成する合成樹脂にアクリル樹脂を、熱硬化性樹脂のモノマーにアクリル樹脂のモノマーを用いたことを特徴とする請求項１又は２記載の敷設用不織布の接合構造。
【請求項４】
熱硬化性樹脂のモノマーに、増粘剤を添加することにより、粘度を５００〜２００００ｍＰａ・ｓに調製したものを用いたことを特徴とする請求項１、２又は３記載の敷設用不織布の接合構造。
【発明の詳細な説明】
【０００１】
【発明の属する技術分野】
本発明は、廃棄物処分場に埋め立てた廃棄物から染み出る汚染水により周囲の環境が汚染されるのを防止するために廃棄物処分場に敷設される遮水シートと併せて敷設される不織布のほか、運動場や法面等に雑草が生えるのを防止するために敷設される防草用の不織布、その他の地盤上に直接又は他の敷設部材を介して敷設される敷設用不織布の接合構造に関し、特に、少なくとも表面に合成樹脂の塗膜を形成した敷設用不織布の接合構造に関するものである。
【０００２】
【従来の技術】
従来、例えば、産業廃棄物や一般廃棄物を焼却した残滓、その他の廃棄物を埋め立てにより処分する廃棄物処分場では、廃棄物処分場に埋め立てた廃棄物から染み出る汚染水により周囲の環境が汚染されないように、廃棄物処分場に遮水工を施すようにしている。
この遮水工としては、施工性、経済性、確実性、安全性等の観点から、従来より、廃棄物処分場にポリエチレン、ポリ塩化ビニル、ポリプロピレン等の合成樹脂製の遮水シート又はゴム製の遮水シートを敷設する方式の遮水構造が広く用いられている。
【０００３】
ところで、廃棄物処分場に遮水シートを敷設する遮水構造の場合、下層の地盤に埋もれている鋭利な岩石のほか、埋め立てられた廃棄物自体の重量や埋め立てられた廃棄物に含まれる鋭利な物体等により遮水シートが損傷を受けることがある。
また、廃棄物処分場のような劣悪な環境下で遮水シートを露出して敷設すると、遮水シートが劣化し、損傷を受けやすくなる。
これらを防止するため、従来の廃棄物処分場においては、遮水シートの下方及び／又は上方に、緩衝及び劣化防止機能を有する不織布等を敷設することが行われている。
【０００４】
また、運動場や法面等に雑草が生えるのを防止するために防草用の不織布を敷設することも行われている。
【０００５】
【発明が解決しようとする課題】
ところで、廃棄物処分場に敷設される遮水シートと併せて敷設される不織布や運動場や法面等に雑草が生えるのを防止するために敷設される防草用の不織布、その他の地盤上に直接又は他の敷設部材を介して敷設される不織布は、耐候性の点で問題を有するとともに、所定の幅寸法を有する不織布を広大な地盤上に敷設する場合における隣接する不織布同士の接合に手数を要するという問題があった。
また、通常、隣接する不織布同士の接合は、接着剤や熱融着により行われているが、いずれも不織布の表面だけでの接合となりやすいため接合部が外れやすく、このため、特に、不織布を安定的に敷設することが困難であった。
【０００６】
本発明は、上記の従来の地盤上に直接又は他の敷設部材を介して敷設される不織布の有する問題点に鑑み、良好な耐候性を有するとともに、隣接する不織布同士の接合を容易かつ強固に行うことができるようにし、特に、高い信頼性が要請される廃棄物処分場等において、不織布を地盤上に安定的に敷設することができるようにした敷設用不織布の接合構造を提供することを目的とする。
【０００７】
【課題を解決するための手段】
上記目的を達成するため、本発明の敷設用不織布の接合構造は、少なくとも表面に合成樹脂の塗膜を形成した敷設用不織布の接合構造であって、不織布の側縁部に熱硬化性樹脂のモノマーを塗布するとともに、熱硬化性樹脂のモノマーを塗布した不織布の側縁部を隣接する不織布の側縁部と重ね合わせ、重ね合わせた部分を加熱することにより、前記塗膜の少なくとも一部を熱硬化性樹脂のモノマーにより溶かしながら、隣接する不織布の側縁部同士を接着してなることを特徴とする。
【０００８】
この敷設用不織布の接合構造は、表面に合成樹脂の塗膜を形成した不織布を用いるようにしているため、地盤上に敷設した不織布の耐候性を向上することができるとともに、隣接する不織布同士の接合を、不織布の側縁部に熱硬化性樹脂のモノマーを塗布するとともに、熱硬化性樹脂のモノマーを塗布した不織布の側縁部を隣接する不織布の側縁部と重ね合わせ、重ね合わせた部分を加熱することにより、塗膜の少なくとも一部を熱硬化性樹脂のモノマーにより溶かしながら、隣接する不織布の側縁部同士を接着して行うようにしているため、塗膜を構成する合成樹脂が溶け込んだ熱硬化性樹脂のモノマーを重ね合わせた隣接する不織布の側縁部に浸透させて、隣接する不織布の側縁部同士を所定の厚さに亘って一体的に接合することができ、隣接する不織布同士の接合を容易かつ強固に行うことができる。
【０００９】
この場合において、不織布にポリオレフィン系、ポリエステル系等の合成繊維製不織布を用いることができる。
【００１０】
これにより、不織布の表面に合成樹脂の塗膜を形成するようにしたことと相俟って、地盤上に敷設した不織布の耐候性を一層向上することができる。
【００１１】
また、塗膜を構成する合成樹脂にアクリル樹脂を、熱硬化性樹脂のモノマーにアクリル樹脂のモノマーを用いることができる。
【００１２】
これにより、不織布の耐候性及び隣接する不織布同士の接合強度を一層向上することができる。
【００１３】
また、熱硬化性樹脂のモノマーに、増粘剤を添加することにより、粘度を５００〜２００００ｍＰａ・ｓに調製したものを用いることができる。
【００１４】
これにより、不織布への熱硬化性樹脂のモノマーの浸透度を適度に制御することができ、隣接する不織布同士の接合を一層容易かつ強固に行うことができるとともに、不織布同士の接合作業の作業性を良好にすることができる。
【００１５】
【発明の実施の形態】
以下、本発明の敷設用不織布の接合構造の実施の形態を図面に基づいて説明する。
【００１６】
図１〜図２に、本発明の敷設用不織布の接合構造を適用する廃棄物処分場の遮水構造の一実施例を示す。
【００１７】
廃棄物処分場１０は、通常、図１に示すように、廃棄物を埋め立て処分しやすい、底部１０ａ、法面部１０ｂ及び天端部１０ｃからなる擂り鉢形状に形成する。
【００１８】
そして、ここでは、廃棄物処分場の遮水構造として、特に限定されるものではないが、廃棄物処分場１０に遮水シート１１を敷設するのに先立ち、廃棄物処分場１０の底部１０ａ、法面部１０ｂ及び天端部１０ｃに、不織布１５と、さらにその上面に表面に凹凸を形成することにより連続した空隙を有する合成樹脂製面状部材１４を敷設した後、遮水シート１１を敷設し、遮水シート１１の上面に、表面に凹凸を形成することにより連続した空隙を有する合成樹脂製面状部材１２と、さらにその上面に不織布１３を敷設するようにした遮水構造１を採用するようにしている。
【００１９】
そして、必要に応じて、合成樹脂製面状部材１２，１４の適宜の位置には、廃棄物から染み出る汚染水を廃棄物処分場１０の外に排出するための排水設備（図示省略）等の設備を設けるようにする。
【００２０】
この場合において、遮水シート１１には、施工性、経済性、確実性、安全性等の観点から、従来より、廃棄物処分場の遮水工に用いられているポリエチレン、ポリ塩化ビニル、ポリプロピレン等の合成樹脂製の遮水シート又はゴム製の遮水シートを用いることができる。
【００２１】
また、表面に凹凸を形成することにより連続した空隙を有する合成樹脂製面状部材１２，１４には、高強度（耐圧強度１５ｔｆ／ｍ2以上、好ましくは、３０ｔｆ／ｍ2以上）で高い通水性能を有する高密度ポリエチレン等の合成樹脂製面状部材を用いることができる。
【００２２】
また、不織布１３，１５には、天然繊維製不織布を用いることもできるが、耐腐食性及び大きい圧縮荷重下においても高い通水・通気性能を有するポリプロピレン（ＰＰ）等のポリオレフィン系、ポリエチレンテレフタレート（ＰＥＴ）等のポリエステル系、アクリル系等の合成繊維製不織布を用いることが好ましい。
【００２３】
そして、この場合、不織布１３，１５には、図３に示すように、少なくとも表面にアクリル樹脂、塩化ビニル樹脂等の合成樹脂の塗膜Ｃを形成した不織布Ｎを用いるようにする。
このように、表面に合成樹脂、特に好ましくは、アクリル樹脂の塗膜Ｃを形成した不織布Ｎは、地盤上に敷設したとき、不織布１３，１５の耐候性を向上することができるものとなる。
【００２４】
そして、不織布１３，１５を敷設する場合における隣接する不織布同士の接合には、図３に示すように、不織布Ｎの側縁部に熱硬化性樹脂のモノマーＭを塗布するとともに、この熱硬化性樹脂のモノマーＭを塗布した不織布Ｎの側縁部を隣接する不織布Ｎの側縁部と重ね合わせ、重ね合わせた部分を加熱することにより、合成樹脂の塗膜Ｃの少なくとも一部を熱硬化性樹脂のモノマーＭにより溶かしながら、隣接する不織布Ｎ，Ｎの側縁部同士を接着するようにする。
【００２５】
これにより、塗膜Ｃを構成する合成樹脂が溶け込んだ熱硬化性樹脂のモノマーを、重ね合わせた隣接する不織布Ｎ，Ｎの側縁部に浸透させて、隣接する不織布Ｎ，Ｎの側縁部同士を所定の厚さに亘って一体的に接合することができ、隣接する不織布Ｎ，Ｎ同士の接合を容易かつ強固に行うことができ、不織布Ｎ，Ｎ同士の接合部が外れにくくなるため、特に、本実施例のような高い信頼性が要請される廃棄物処分場において、不織布Ｎを地盤上に安定的に敷設することができるものとなる。
【００２６】
この場合、熱硬化性樹脂のモノマーＭには、合成樹脂の塗膜Ｃや不織布Ｎの性状に適合したものを用いるようにするが、例えば、塗膜Ｃにアクリル樹脂の塗膜、不織布Ｎにポリプロピレン（ＰＰ）等のポリオレフィン系又はポリエチレンテレフタレート（ＰＥＴ）等のポリエステル系の合成繊維製不織布を用いた場合には、アクリル樹脂のモノマーを用いることが好ましく、これにより、不織布Ｎの耐候性及び隣接する不織布Ｎ，Ｎ同士の接合強度を一層向上することができるものとなる。
【００２７】
また、熱硬化性樹脂のモノマーには、アクリロニトリルゴム、セルロース系等の増粘剤を添加することにより、粘度を５００〜２００００ｍＰａ・ｓに調製したものを用いることが好ましく、これにより、不織布Ｎへの熱硬化性樹脂のモノマーの浸透度を適度に制御することができ、隣接する不織布Ｎ，Ｎ同士の接合を一層容易かつ強固に行うことができるとともに、不織布Ｎ，Ｎ同士の接合作業の作業性を良好にすることができるものとなる。
【００２８】
また、このように、遮水シート１１の下面に、表面に凹凸を形成することにより連続した空隙を有する合成樹脂製面状部材１４及び不織布１５を敷設するようにしているので、万一、遮水シート１１が損傷を受けた場合にも、廃棄物から染み出た汚染水を、遮水シート１１の下面に敷設した合成樹脂製面状部材１４を介して速やかに排出し、損傷箇所から周囲の地盤に漏出する汚染水の絶対量を著しく低減することができ、これにより、汚染水の漏出によって周囲の土壌が汚染される危険性を著しく低減することができるものとなる。
【００２９】
また、遮水シート１１の上面に、表面に凹凸を形成することにより連続した空隙を有する合成樹脂製面状部材１２及び不織布１３を敷設するようにしているので、遮水シート１１を保護して、廃棄物処分場１０内を走行する廃棄物を搬入するトラックや搬入された廃棄物を積み替える重機械等から、遮水シート１１が損傷を受けることを確実に防止することができるとともに、合成樹脂製面状部材１２の連続した空隙は、廃棄物処分場１０に埋め立てた廃棄物によって締め固められることがないことから、廃棄物処分場１０に埋め立てた廃棄物から染み出る汚染水を廃棄物処分場１０の外に安定して排出することができるものとなる。
また、合成樹脂製面状部材１２の連続した空隙は、廃棄物処分場１０に埋め立てた廃棄物によって締め固められることがないことから、廃棄物処分場１０に埋め立てた廃棄物を好気状態に維持するとともに、廃棄物から発生するガスを安定して放出することができるものとなる。
さらに、この合成樹脂製面状部材１２の連続した空隙は、廃棄物処分場１０に廃棄物を埋め立てた後、必要に応じて、その表面をキャッピングシート等によって覆って、廃棄物の分解を制御する際の空気（酸素）や水の供給通路又は排出通路として利用することができ、これにより、廃棄物を分解する微生物の活動を制御して、廃棄物の分解速度を適正に制御し、廃棄物から染み出る水や発生するガスの性状及び廃棄物の温度を良好な状態に維持することができるものとなる。
【００３０】
以上、本発明の敷設用不織布の接合構造について、廃棄物処分場の遮水構造に用いられる不織布に適用した実施例に基づいて説明したが、本発明は、上記実施例に記載した構成に限定されるものではなく、上記実施例の廃棄物処分場に敷設される遮水シートと併せて敷設される不織布のほか、運動場や法面等に雑草が生えるのを防止するために敷設される防草用の不織布、その他の地盤上に直接又は他の敷設部材を介して敷設される不織布の接合構造として広く適用することができ、また、敷設用不織布の接合は、現場施工のほか、必要に応じて、工場等において行う場合も排除するものではない等、その趣旨を逸脱しない範囲において適宜その構成を変更することができるものである。
【００３１】
【発明の効果】
本発明の敷設用不織布の接合構造によれば、敷設用不織布の接合構造は、表面に合成樹脂の塗膜を形成した不織布を用いるようにしているため、地盤上に敷設した不織布の耐候性、特に、廃棄物処分場においては、併せて遮水シートの耐候性、を向上することができるとともに、隣接する不織布同士の接合を、不織布の側縁部に熱硬化性樹脂のモノマーを塗布するとともに、熱硬化性樹脂のモノマーを塗布した不織布の側縁部を隣接する不織布の側縁部と重ね合わせ、重ね合わせた部分を加熱することにより、塗膜の少なくとも一部を熱硬化性樹脂のモノマーにより溶かしながら、隣接する不織布の側縁部同士を接着して行うようにしているため、塗膜を構成する合成樹脂が溶け込んだ熱硬化性樹脂のモノマーを重ね合わせた隣接する不織布の側縁部に浸透させて、隣接する不織布の側縁部同士を所定の厚さに亘って一体的に接合することができ、隣接する不織布同士の接合を容易かつ強固に行うことができ、不織布同士の接合部が外れにくくなるため、特に、高い信頼性が要請される廃棄物処分場等において、不織布を地盤上に安定的に敷設することができる。
【００３２】
また、不織布にポリオレフィン系、ポリエステル系等の合成繊維製不織布を用いることにより、不織布の表面に合成樹脂の塗膜を形成するようにしたことと相俟って、地盤上に敷設した不織布の耐候性を一層向上することができる。
【００３３】
また、塗膜を構成する合成樹脂にアクリル樹脂を、熱硬化性樹脂のモノマーにアクリル樹脂のモノマーを用いることにより、不織布の耐候性及び隣接する不織布の同士の接合強度を一層向上することができる。
【００３４】
また、熱硬化性樹脂のモノマーに、増粘剤を添加することにより、粘度を５００〜２００００ｍＰａ・ｓに調製したものを用いることにより、不織布への熱硬化性樹脂のモノマーの浸透度を適度に制御することができ、隣接する不織布同士の接合を一層容易かつ強固に行うことができるとともに、不織布同士の接合作業の作業性を良好にすることができる。
【図面の簡単な説明】
【図１】本発明の敷設用不織布の接合構造を適用した廃棄物処分場を示す縦断面図である。
【図２】同廃棄物処分場の遮水構造の一実施例を示し、（ａ）は一部を破断した平面図、（ｂ）は（ａ）Ｂ−Ｂ線断面図（図１のＡ−Ａ線断面図）である。
【図３】本発明の敷設用不織布の接合構造の一実施例を示す断面図である。
【符号の説明】
Ｎ    不織布
Ｃ    塗膜
Ｂ    熱硬化性樹脂のモノマー
１    遮水構造
１１  遮水シート
１２  合成樹脂製面状部材
１３  不織布
１４  合成樹脂製面状部材
１５  不織布
１６  不織布
１７  不織布
１０  廃棄物処分場
１０ａ  底部
１０ｂ  法面部
１０ｃ  天端部
【図１】
0004312925.tif 000002
【図２】
0004312925.tif 000003
【図３】
0004312925.tif 000004